【手続補正書】
【提出日】平成18年1月23日(2006.1.23)
【手続補正１】
【補正対象書類名】明細書
【補正対象項目名】発明の名称
【補正方法】変更
【補正の内容】
【発明の名称】画像処理システム
【手続補正２】
【補正対象書類名】明細書
【補正対象項目名】特許請求の範囲
【補正方法】変更
【補正の内容】
【特許請求の範囲】
【請求項１】  少なくとも第１の画像処理装置と第２の画像処理装置との間でデータ通信を行う画像処理システムにおいて、
前記第１の画像処理装置は、
原稿を画像データとして読み取る読み取り手段と、
前記読み取り手段により読み取られた前記画像データを記憶する記憶手段と、
前記記憶手段により記憶された前記画像データを送信する送信手段とを有し、
前記第２の画像処理装置は、
前記送信手段により送信した前記画像データをメモリ受信するメモリ受信手段と、
前記メモリ受信手段により受信された前記画像データを出力する出力手段と、
前記メモリ手段により受信された前記画像データを前記出力手段によりリアルタイムで出力せずに所定の時間遅延させて出力させる遅延手段とを有し、
前記第１の画像処理装置は、
前記送信手段により送信した前記画像データに訂正がある場合に、前記メモリ受信手段により受信された前記画像データを変更する変更手段と、
前記メモリ受信手段により受信された前記画像データを破棄する破棄手段と、
を有することを特徴とする画像処理システム。
【請求項２】  前記第１の画像処理装置は、
前記遅延手段により遅延させる時間を外部から設定するための操作手段を有することを特徴とする請求項１記載の画像処理システム。
【請求項３】  前記第２の画像処理装置は、
前記遅延手段により遅延させる時間を外部から設定するための操作手段を有することを特徴とする請求項１記載の画像処理システム。
【請求項４】  前記遅延手段は、親展受信により行われることを特徴とする請求項１記載の第１の画像処理システム。
【請求項５】  前記変更手段による変更および前記破棄手段による破棄が行われた場合に、前記変更および前記破棄を行った旨を示すメッセージを通知する通知手段を有することを特徴とする請求項１から４のいずれか１項に記載の画像処理システム。
【請求項６】  前記第２の画像処理装置は、
前記メモリ受信手段により受信された前記画像データが前記変更手段により変更あるいは前記破棄手段により破棄された旨を受信履歴として表示する表示手段を有することを特徴とする請求項１から５のいずれか１項に記載の画像処理システム。
【請求項７】  前記第２の画像処理装置は、
前記メモリ受信手段により受信された前記画像データが前記変更手段により変更あるいは前記破棄手段により破棄された旨を記録紙として出力する受信履歴出力手段を有することを特徴とする請求項１から６のいずれか１項に記載の画像処理システム。
【請求項８】  前記第１の画像処理装置は、
前記メモリ受信手段により受信された前記画像データが前記変更手段により変更あるいは前記破棄手段により破棄された画像データのファイルに関する履歴のみを表示する表示手段を有することを特徴とする請求項１から５のいずれか１項に画像処理システム。
【請求項９】  前記第１の画像処理装置は、
前記メモリ受信手段により受信された前記画像データが前記変更手段により変更あるいは前記破棄手段により破棄された画像データのファイルに関する情報のみを記録紙として出力する変更／破棄情報出力手段を有することを特徴とする請求項１から６のいずれか１項記載の画像処理システム。
【手続補正３】
【補正対象書類名】明細書
【補正対象項目名】０００１
【補正方法】変更
【補正の内容】
【０００１】
【発明の属する技術分野】
本発明は、画像処理システムに関し、特にメモリ受信した画像データのファイル管理機能を備える画像処理システムに関する。
【手続補正４】
【補正対象書類名】明細書
【補正対象項目名】０００４
【補正方法】変更
【補正の内容】
【０００４】
本発明の第１の目的は、既に送信済みである画像データが出力される以前にメモリ内で変更または破棄することのできる画像処理システムを提供することにある。
【手続補正５】
【補正対象書類名】明細書
【補正対象項目名】０００５
【補正方法】変更
【補正の内容】
【０００５】
本発明の第２の目的は、誤送信により不要な記録紙に画像形成されることを防止する画像処理システムを提供することにある。
【手続補正６】
【補正対象書類名】明細書
【補正対象項目名】０００６
【補正方法】変更
【補正の内容】
【０００６】
【課題を解決するための手段】
前記課題を解決するために、請求項１記載の発明は、少なくとも第１の画像処理装置と第２の画像処理装置との間でデータ通信を行う画像処理システムにおいて、第１の画像処理装置は、原稿を画像データとして読み取る読み取り手段と、読み取り手段により読み取られた画像データを記憶する記憶手段と、記憶手段により記憶された画像データを送信する送信手段とを有し、第２の画像処理装置は、送信手段により送信した画像データをメモリ受信するメモリ受信手段と、メモリ受信手段により受信された画像データを出力する出力手段と、メモリ手段により受信された画像データを出力手段によりリアルタイムで出力せずに所定の時間遅延させて出力させる遅延手段とを有し、第１の画像処理装置は、送信手段により送信した画像データに訂正がある場合に、メモリ受信手段により受信された画像データを変更する変更手段と、メモリ受信手段により受信された画像データを破棄する破棄手段と、を有することを特徴とする。
【手続補正７】
【補正対象書類名】明細書
【補正対象項目名】０００７
【補正方法】変更
【補正の内容】
【０００７】
請求項２記載の発明は、請求項１記載の発明において、第１の画像処理装置は、遅延手段により遅延させる時間を外部から設定するための操作手段を有することを特徴とする。
【手続補正８】
【補正対象書類名】明細書
【補正対象項目名】０００８
【補正方法】変更
【補正の内容】
【０００８】
請求項３記載の発明は、請求項１記載の発明において、第２の画像処理装置は、遅延手段により遅延させる時間を外部から設定するための操作手段を有することを特徴とする。
【手続補正９】
【補正対象書類名】明細書
【補正対象項目名】０００９
【補正方法】変更
【補正の内容】
【０００９】
請求項４記載の発明は、請求項１記載の発明において、前記遅延手段は、親展受信により行われることを特徴とする。
【手続補正１０】
【補正対象書類名】明細書
【補正対象項目名】００１０
【補正方法】変更
【補正の内容】
【００１０】
請求項５記載の発明は、請求項１から４のいずれか１項記載の発明において、変更手段による変更および破棄手段による破棄が行われた場合に、変更および破棄を行った旨を示すメッセージを通知する通知手段を有することを特徴とする。
【手続補正１１】
【補正対象書類名】明細書
【補正対象項目名】００１１
【補正方法】変更
【補正の内容】
【００１１】
請求項６記載の発明は、請求項１から５のいずれか１項記載の発明において、第２の画像処理装置は、メモリ受信手段により受信された画像データが変更手段により変更あるいは破棄手段により破棄された旨を受信履歴として表示する表示手段を有することを特徴とする。
【手続補正１２】
【補正対象書類名】明細書
【補正対象項目名】００１２
【補正方法】変更
【補正の内容】
【００１２】
請求項７記載の発明は、請求項１から６のいずれか１項に記載の発明において、第２の画像処理装置は、メモリ受信手段により受信された画像データが変更手段により変更あるいは破棄手段により破棄された旨を記録紙として出力する受信履歴出力手段を有することを特徴とする。
【手続補正１３】
【補正対象書類名】明細書
【補正対象項目名】００１３
【補正方法】変更
【補正の内容】
【００１３】
請求項８記載の発明は、請求項１から５のいずれか１項に記載の発明において、第１の画像処理装置は、メモリ受信手段により受信された画像データが変更手段により変更あるいは破棄手段により破棄された画像データのファイルに関する履歴のみを表示する表示手段を有することを特徴とする。
【手続補正１４】
【補正対象書類名】明細書
【補正対象項目名】００１４
【補正方法】変更
【補正の内容】
【００１４】
請求項９記載の発明は、請求項１から６のいずれか１項記載の発明において、第１の画像処理装置は、メモリ受信手段により受信された画像データが変更手段により変更あるいは破棄手段により破棄された画像データのファイルに関する情報のみを記録紙として出力する変更／破棄情報出力手段を有することを特徴とする。
【手続補正１５】
【補正対象書類名】明細書
【補正対象項目名】００１５
【補正方法】変更
【補正の内容】
【００１５】
【発明の実施の形態】
次に、添付図面を参照して本発明の実施形態である画像処理システムを詳細に説明する。図１から図５を参照すると、本発明による画像処理システムを適用したファクシミリ送受信システムの実施の形態が示されている。
【手続補正１６】
【補正対象書類名】明細書
【補正対象項目名】００１６
【補正方法】変更
【補正の内容】
【００１６】
図１は、本発明の実施形態である画像処理システムを適用したファクシミリ送受信システムの概略構成図である。図１において、本発明の実施形態である画像処理システムは、ファクシミリ装置１００とファクシミリ装置２００とが通信回線３００を介して接続されて構成される。上述されるファクシミリ装置１００及びファクシミリ装置２００の基本構成は、同様のものであるとする。以下、図２を参照して、ファクシミリ装置１００の概略構成を説明する。
【手続補正１７】
【補正対象書類名】明細書
【補正対象項目名】００２１
【補正方法】変更
【補正の内容】
【００２１】
図３は、本発明の実施形態である画像処理システムを適用したファクシミリ送受信システムの訂正後の画像データ送信の動作例を示すフローチャートである。図３において、送信側で同一番号に送信する場合には（ステップＳ１）、前回送信した時点からの経過時間が任意の時間Ａ以内であるか否かを確認する（ステップＳ３）。
【手続補正１８】
【補正対象書類名】明細書
【補正対象項目名】００３３
【補正方法】変更
【補正の内容】
【００３３】
【発明の効果】
以上の説明より明らかなように、本発明の画像処理システムによれば、送信側では送信終了後に誤った画像データを受信側に送信したことに気づいても、その旨をメッセージとして通知し、再送することで受信側のメモリ内で訂正ができ、無駄な記録紙の出力を省くことができる。
【手続補正１９】
【補正対象書類名】明細書
【補正対象項目名】００３４
【補正方法】変更
【補正の内容】
【００３４】
また、本発明の画像処理システムを適用したファクシミリ送受信システムによれば、受信側において、変更または破棄された画像データの情報を確認することができる。
【手続補正２０】
【補正対象書類名】明細書
【補正対象項目名】００３５
【補正方法】変更
【補正の内容】
【００３５】
さらに、本発明の画像処理システムを適用したファクシミリ送受信システムによれば、受信側で認定されている画像データファイルが変更または破棄可否であるか否かを送信側で判断できるため、送信側のオペレータは的確な対応をとることができる。
【手続補正２１】
【補正対象書類名】明細書
【補正対象項目名】図面の簡単な説明
【補正方法】変更
【補正の内容】
【図面の簡単な説明】
【図１】
本発明の実施形態である画像処理システムを適用したファクシミリ送受信システムの概略構成図である。
【図２】
本発明の実施形態におけるファクシミリ装置の構成を示すブロック図である。
【図３】
本発明の実施形態である画像処理システムを適用したファクシミリ送受信システムの訂正後の画像データ送信の動作例を示すフローチャートである。
【図４】
送信側ファクシミリ装置の操作部の表示例を示す平面図である。
【図５】
受信側ファクシミリ装置における操作部の表示例を示す平面図である。
【図６】
受信側ファクシミリ装置からの出力例を示す平面図である。
【符号の説明】
１００、２００  ファクシミリ装置
３００  通信回線